(57)【要約】      （修正有）【課題】液状内容物を入れた袋や容器と補充されるべき容器を、使用者が手に持って支持することなく、ともに棚に収納した状態で、液状内容物の詰め替えを可能とする。【解決手段】上下方向に並んで配置される複数の収納棚を備えた浴室収納部材１において、複数の収納棚９、１０、１７が、それぞれの背面が上下方向に略同一平面に位置し、複数の収納棚にまたがって背面に設けられた連結材３に取り付けられており、複数の収納棚の最下段を除くいずれかの収納棚の底面に窪み部が設けられており、窪み部は中心に孔が設けられており、窪み部の周壁は孔に向かって傾斜して形成され、連結材３に嵌合された詰め替え用レフィル用の絞り具７もしくはボトル倒れ防止用の固定具６、またはその両方を備えている。【選択図】図１
2015181750.tif 000002
【特許請求の範囲】
【請求項１】
上下方向に並んで配置される複数の収納棚を備えた浴室収納部材において、複数の収納棚の最下段を除くいずれかの収納棚の底面に窪み部が設けられており、窪み部は中心に孔が設けられており、窪み部の周壁は孔に向かって傾斜して形成されていることを特徴とする浴室収納部材。
【請求項２】
請求項１に記載の浴室収納部材において、複数の収納棚はそれぞれの収納棚の背面が上下方向に略同一平面に位置しており、複数の収納棚にまたがって収納棚背面に連結材が設けられ、複数の収納棚が連結材に嵌合されていることを特徴とする浴室収納部材。
【請求項３】
請求項１または２に記載の浴室収納部材において、複数の収納棚は、上下方向にスライド自在に連結材と嵌合されていることを特徴とする浴室収納部材。
【請求項４】
請求項２または３に記載の浴室収納部材において、浴室収納部材は、詰め替えレフィル用の絞り具もしくはボトル倒れ防止用の固定具、またはその両方を備え、絞り具及び固定具は、連結材に嵌合されていることを特徴とする浴室収納部材。
【発明の詳細な説明】
【技術分野】
【０００１】
本発明は、浴室収納部材に関するものである。
【０００２】
従来、浴室内で使用するシャンプーやボディーソープ等のボトルを支持して収納する棚として、収納棚の底部に傾斜部を備える構成が知られている。その一例として、水平トレ−や傾斜トレ−を組立てて多段式ラックを構成して浴室備品用置き棚が知られている（特許文献１参照）。
【０００３】
別の例として、上段、中段及び下段の収容棚が連結筒及び支持脚で連結され、上段収容棚の収容部は、洗顔液等を入れたボトルを収容する６つの凹設部を備え、各凹設部の底壁には、収容部内に溜まる水等が排出する挿通孔が設けられている浴室用ラックが知られている（特許文献２参照）。
【０００４】
そして、シャンプー等の詰め替え用の袋から容器に詰め替えるために、軟質素材のロート部とロート部を固定する硬質素材のスタンド部とからなるシャンプー詰替え用具が知られている（特許文献３参照）。
【０００５】
台座に、シャンプー、リンス等を収納したポンプ付き容器を螺着する構成が知られている（特許文献４参照）。
【０００６】
また、ボトル本体の上方にフックを備えた着脱可能なキャップを有し、下方に可撓性のポンプを有する詰替ボトル装置であって、ボディーソープ、シャンプー、リンス等の液状内容物を簡単に補充でき、シャワーハンガーに設けた支持棒等に引っ掛けて使用することができるものが知られている（特許文献５参照）。
【先行技術文献】
【特許文献】
【０００７】
【特許文献１】特開平８−１９６３６４号公報
【特許文献２】特許第３６０９６２７号公報
【特許文献３】実用新案登録第３１７２１２０号公報
【特許文献４】実用新案登録第２５５０１５１号公報
【特許文献５】特開２０１２−１５３４２６号公報
【発明の概要】
【発明が解決しようとする課題】
【０００８】
日常的に使用するシャンプーやボディーソープ等のボトルは、浴室内の収納梱に置くことが多く、詰め替えを行なうとき、ボトルを収納棚から取り出し詰め替えるが、中身の液状内容物が落ちる時間がかかり、詰め替え作業中は手で支えていなければならないために、容易ではなく手間取ったりした。
【０００９】
特に、水気のある浴室での詰め替え作業は、詰め替え用袋が水や湯で濡れているために、手が滑り、中身をきちんと出し切れずストレスとなった。
【００１０】
また、収納棚上に載置したボトルの中身が少なくなると、ボトル自体が軽くなり、通常は片手でポンプを押すために、不安定さからボトルが倒れそうになることがあり、使い勝手が良いというものではなかった。
【００１１】
ところで、上記従来例のとおり、ボディーソープ、シャンプー、リンス等の液状内容物を入れたボトル等の容器を収納する棚は知られており、また、液状内容物を詰め替えるためのロート部を固定するスタンドや、液状内容物を入れた容器を吊した詰め替え用ボトル装置は知られている。
【００１２】
しかしながら、上記従来の技術は、液状内容物を入れた容器を収納する棚、ロート部を固定するスタンド、液状内容物を入れた容器を吊す構成等、個々の構成については記載されているが、これらの従来技術では、上方の棚に置かれた詰め替え用の液状内容物を入れた袋やボトルに対して、補充されるべきボトルを、詰め替えできる状態で下方の棚に収納可能とする構成は備えておらず、容易に液体収納ボトルへ詰め替え用の中身を移し替えられる構成ではない。
【００１３】
また、上記従来の技術は、詰め替えレフィルまたは詰め替えボトルの中身をなるべく残さないように出し切る構成でもない。
【００１４】
本発明は、液状内容物を入れた袋や容器と補充されるべき容器を、使用者が手に持って支持することなく、ともに棚に収納した状態で、液状内容物の詰め替えを可能とするとともに、詰め替えレフィルまたは詰め替えボトルの中身をなるべく残さないように出し切ることを可能とし、さらに中身が少なくなっても、ボトルが安定した状態で使用できる簡単な構造の浴室収納部材を実現することを課題とする。
【課題を解決するための手段】
【００１５】
本発明は上記課題を解決するために、上下方向に並んで配置される複数の収納棚を備えた浴室収納部材において、複数の収納棚の最下段を除くいずれかの収納棚の底面に窪み部が設けられており、窪み部は中心に孔が設けられており、窪み部の周壁は孔に向かって傾斜して形成されていることを特徴とする浴室収納部材を提供する。
【００１６】
複数の収納棚はそれぞれの収納棚の背面が上下方向に略同一平面に位置しており、複数の収納棚にまたがって収納棚背面に連結材が設けられ、複数の収納棚が連結材に嵌合されている構成とすることが好ましい。
【００１７】
複数の収納棚は、上下方向にスライド自在に連結材と嵌合されていることが好ましい。
【００１８】
浴室収納部材は、詰め替えレフィル用の絞り具もしくはボトル倒れ防止用の固定具、またはその両方を備え、絞り具及び固定具は、連結材に嵌合されていることが好ましい。
【発明の効果】
【００１９】
本発明に係る浴室収納部材は、上下方向に並んで配置される複数の収納棚を備えた収納部材において、複数の収納棚の最下段を除くいずれかの収納棚の底面に、窪み部を設け、窪み部は中心に孔が設けられており、窪み部の周壁は孔に向かって傾斜して成る構成としたので、詰め替え用のシャンプーやボディソープ等、液状内容物の中身を入れた詰め替えレフィルまたは詰め替えボトルと、補充されるべきボトルを、ともに浴室収納部材に収納した状態で、ボトル詰め替えが容易にできる。
【図面の簡単な説明】
【００２０】
【図１】本発明に係る浴室収納部材の実施例の全体構成を示す図である。
【図２】（ａ）は上記実施例の浴室収納部材の収納棚に取り付けられるボトル倒れ防止用の固定具を示す平面図であり、（ｂ）は上記実施例の浴室収納部材の収納棚に取り付けられた詰め替えレフィル用の絞り具を示す平面図であり、（ｃ）は絞り具の作用を説明する図である。
【図３】上記実施例の窪み部付き棚の構成を説明する図であり、（ａ）は垂直断面図であり、（ｂ）は平面図であり、（ｃ）は窪み部の孔の内面に雌ねじを設けた構成を示す図である。
【図４】（ａ）〜（ｃ）は、上記実施例の浴室収納部材における窪み部付き収納棚の窪み部の変形例を示す図であり、（ａ）は垂直断面図であり、（ｂ）は平面図であり、（ｃ）は使用例を説明する図である。
【発明を実施するための形態】
【００２１】
本発明に係る浴室収納部材を実施するための形態を実施例に基づき図を参照して、以下説明する。
【実施例】
【００２２】
図１に示すように、本発明に係る浴室収納部材１は、収納背板２と、収納背板２の前面側に着脱可能に取り付けられる複数の収納棚とを備えている。収納背板２は、その後面において浴室の壁面に取り付けられる。本実施例では、複数の収納棚として、上中下段に３つの収納棚９、１７、１０を備えており、それらの詳細は後記する。
【００２３】
複数の収納棚９、１７、１０はそれぞれの収納棚の背面が上下方向に略同一平面に位置しており、複数の収納棚にまたがって収納棚背面に連結材３が設けられ、複数の収納棚９、１７、１０が連結材３に上下方向にスライド可能であって、所定の高さ位置に調節して、ピン等の取付具１３で固定可能である。
【００２４】
本実施例では、連結材３は、図２（ａ）、（ｂ）に示すように、収納背板２の前面の左右に断面が凸状で上下方向に直線的に延びるよう形成されている。図示はしないが、収納棚９、１７、１０の背面に、連結材３に嵌合するように、断面形状が略凹状の嵌合部を形成すれば、複数の収納棚９、１７、１０がスムースに連結材３に上下方向にスライド可能となる。
【００２５】
連結材３には、後記するが、ボトル倒れ防止用の固定具６及び詰め替えレフィル用の絞り具７を取り付け、それらを支持するとともに、上下方向にガイドする機能を有する。
【００２６】
収納棚は、機能に応じていろいろな構造が考えられるが、本実施例では、２種類の収納棚について説明する。その一つは、標準タイプの収納棚であり、本実施例では、収納背板２の上段及び下段に取り付けられている収納棚９、１０がこれに相当する。
【００２７】
この収納棚９、１０は、物品を載置する載置部１１と囲い部１２とを備え、取付具１３で左右の連結材３に取り付けられて使用される。載置部１１の上面には、複数本の細い凸条のリブ１４が形成されている。
【００２８】
他の一つは、窪み部を備えた収納棚（窪み部付き収納棚）であり、本実施例では、図１において、収納背板２の中段に取り付けられている収納棚１７がこれに相当する。このような窪み部付き収納棚は、複数の収納棚の最下段を除くいずれかの収納棚として設けられる。
【００２９】
窪み部付き収納棚１７は、図３（ａ）、（ｂ）に示すように、上記標準タイプの収納棚１０と同様に、物品の載置部１１と囲い部１２とを備え、取付具１３で左右の連結材３に取り付けられて使用される。載置部１１の上面には、複数本の細い凸条のリブ１４が形成されている。
【００３０】
この窪み部付き収納棚１７は、載置部１１の一部の底面に窪み部１８が設けられ、窪み部１８はその中心に孔１９が設けられている。窪み部１８の円錐状の周壁２０は孔１９に向かって傾斜して形成されている。窪み部１８は、後記するが、漏斗として機能し、孔１９は漏斗の排出孔として機能する。また、窪み部１８は、ボトルの収納部としても機能する。
【００３１】
窪み部１８の孔１９の内面に、図３（ｃ）に示すように、ボトル２５の口部２６の雄ねじに螺合可能な雌ねじ２７を形成する構成としてもよい。このような構成とすると、ボトル２５を窪み部１８の孔１９にしっかりと取り付けることができるので、後記するボトル倒れ防止用の固定具６が不要となる。
【００３２】
また、図４（ａ）〜（ｃ）に窪み部の変形例を示すが、この変形例の窪み部３０は、その円錐状の周壁３１に環状の水平段部３２が形成されている。このような窪み部３０は、図４（ａ）に示すように、ボトル２５（２点鎖線で示す）をこの水平段部３２に上に載置して収納することもできる。
【００３３】
なお、本実施例では、円錐形の窪み部について説明したが、円錐形でなくても、四角錐、多角錐等、他の形状の窪み部でもよい。
【００３４】
連結材３には、固定具が着脱可能なように装着される。固定具としては、いろいろな構造が考えられるが、本実施例の浴室収納部材１では、図１及び図２（ａ）に示すように、下段の収納棚１０に面してその上方に、ボトル２５の転倒を防止するボトル倒れ防止用の固定具６が装着されている。
【００３５】
このボトル倒れ防止用の固定具６は、弾力性を有する樹脂材等で形成されており、図２（ａ）に示すように、湾曲状の把持部３４と、連結材３に装着する装着部３５を備えている。湾曲状の把持部３４は、左右から弾力的にボトル２５を把持する。装着部３５は、その断面が略凹条に形成されており、連結材３を挟持するように嵌合することで、連結材３に装着することが可能である。
【００３６】
また、本実施例の浴室収納部材１では、図１に示すように、中段の窪み部付き収納棚１７に面してその上方に、詰め替えレフィル用の絞り具７が装着されている。絞り具７は、図２（ｂ）、（ｃ）に示すように、挟持部３９と、連結材３に装着する装着部４０を備えている。                                      
【００３７】
挟持部３９は、結合部４１を中心に開閉可能な一対の挟持片４２を有し、一方の挟持片４２の先端には係止用のフック４３が形成されている。結合部４１には、側方に突出する取手４４が設けられている。装着部４０は、ボトル倒れ防止用の固定具６の装着部３５と同じ構成であり、この装着部４０によって、絞り具７は連結材３に上下方向にスライド可能に取り付けられる。
【００３８】
絞り具７は、詰め替え用のシャンプーやボディーソープ等、液状内容物の中身入れた詰め替えレフィル３６を挟持して支持する。必要に応じて、絞り具７を連結材３に沿って下方にスライドすることで、詰め替え用の中身を絞り出すことができる。
【００３９】
さらに別の種類の収納棚の一例として、図示はしないが水切り収納棚がある。この水切り収納棚は、その底部に複数の水切り孔が形成されており、スポンジ等、水気を含んだ物を置くと含まれた水をきって下方に落とす機能を備えており、浴室収納部材１の最下段に取り付けられることが好ましい。
【００４０】
（作用）
上記実施例の浴室収納部材１の作用について、その使用態様を通して説明する。本実施例では、シャンプーやボディーソープ等のボトル２５を、図１に示すように、下段の標準タイプの収納棚１０に載置して収納する。
【００４１】
この場合、ボトル倒れ防止用の固定具６でボトル２５を弾力的に把持すると、ボトル２５の転倒を防止でき、安定して収納棚１０に収納することが可能となる。特に、ボトル２５内に充填されている中身が少なくなってくると、ボトル２５は不安定な起立状態となるが、ボトル倒れ防止用の固定具６を設けることで、安定して収納棚１０を把持し収納することが可能となる。
【００４２】
ボトル２５にその中身を補給する際には、ボトル２５の口に窪み部１８の孔１９を差し込むような状態で、補給されるボトル２５を、中段の窪み部付き収納棚１７の窪み部１８の直下において下段の収納棚１０上に載置する。
【００４３】
そして、中段の窪み部付き収納棚１７における窪み部１８上に、中身を補給するための市販の詰め替えの中身を充填した詰め替えレフィル３６を、蓋を開けた状態で上下逆さにして載置する。
【００４４】
そして、絞り具７の一対の挟持片４２で詰め替えレフィル３６を挟むようにして挟持し、一方の挟持片４２のフック４３を他方の挟持片４２の先端に係合する。市販の詰め替えレフィル３６内の中身は、下方に流動して窪み部１８を通して案内され、下段の収納棚１０に載置されているボトル２５に供給される。このようにして、ボトル２５の中身を容易に補給または詰め替えることができる。
【００４５】
なお、詰め替えレフィル３６に残る中身は、絞り具７を連結材３に沿って下方に移動すれば、残り少なくなった詰め替えレフィル３６内の中身を、下方にしっかりと搾り出してボトル２５内に供給することができる。この際、取手４４を持って絞り具７を適宜上下するようにすれば、中身の搾り出しの操作がし易い。
【００４６】
ボトル２５にその中身を補給しない通常の使用状態では、中段の窪み部付き収納棚１７を収納背板２２から取り外して、標準タイプの収納棚に付け替えれば、上段または下段の収納棚９、１０と同様の使用が可能である。
【００４７】
もっとも、通常の使用状態でも、窪み部付き収納棚１７を取り外さないで、その載置部１１にボトル２５等を載置して通常の収納用の収納棚として使用することもできる。
【００４８】
図４（ａ）、（ｂ）に示すように、窪み部３０の周壁３１に環状の水平段部３２が設けられていれば、図４（ａ）において想像線（鎖線）で示すように、或いは図４（ｃ）に示すように、ボトル２５に蓋をした状態でこの水平段部３２の上に安定して載置し、窪み部３０に収納することもできる。
【００４９】
また、詰め替えレフィルではなく、詰め替えボトルからシャンプーやボディソープ等を詰め替えることも可能である。詰め替えボトルから詰め替える場合は、詰め替えレフィル用絞り具ではなく、ボトル倒れ防止用固定具を窪み部付き収納棚１７の上方に装着して使用することができる。
【００５０】
なお、図示はしないが、下段に水切り収納棚を装着し、スポンジ等、水を含む物品をその上に置けば、水切りもできて、その物品を衛生的に使用することができる。       
【００５１】
以上、本発明に係る浴室収納部材を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００５２】
本発明に係る浴室収納部材は上記のような構成であるから、シャンプーやボディーソープのような浴室で使用する液剤の収納や詰め替え用以外にも、洗濯用液体洗剤や柔軟剤等、各種の液状の洗剤等の詰め替え用へも転用することが可能である。
【符号の説明】
【００５３】
１  浴室収納部材                                         
２  収納背板                                       
３  連結材                                         
６  ボトル倒れ防止用の固定具                                       
７  詰め替えレフィル用の絞り具
９、１０  標準タイプの収納棚                                       
１１  収納棚の載置部                                   
１２  収納棚の囲い部                                   
１３  取付具                                       
１４  載置部上面の細いリブ                         
１７  窪み部付き収納棚                                   
１８、３０  窪み部                                       
１９  窪み部の孔                                   
２０、３１  窪み部の周壁                                         
２５  ボトル                                       
２６  ボトルの口部                                 
２７  窪み部の孔に形成された雌ネジ               
３２  周壁の水平段部                               
３４  固定具の把持部                             
３５  固定具の装着部                             
３６  詰め替えレフィル                           
３９  絞り具の狭持部                             
４０  絞り具の装着部                             
４１  絞り具の結合部                             
４２  狭持片                                       
４３  狭持片の係止用のフック                       
４４  取手                                         
【図１】
2015181750.tif 000003
【図２】
2015181750.tif 000004
【図３】
2015181750.tif 000005
【図４】
2015181750.tif 000006